(57)【要約】【課題】  天井に取付けた天横フレームと床面に敷設した地横フレームとの間にガラス板を保持してなるガラスパネル装置において、側方へ連設する場合に横フレームを段差なく接合できるとともに、ガラス板の高さ調節も容易で施工性に優れ、部品点数を最小限に抑制してコスト低減化を図り、外観的にもシャープさを備えたガラスパネル装置を提供する。【解決手段】  天横フレーム１と地横フレーム２は、アルミ押出し型材からなり、それぞれ中央部にガラス板の上下縁を保持する凹溝部７を有し、該凹溝部の表裏両側に筒状の空間部９，９を有し、地横フレームの凹溝部内の底部に設置するセッティングブロックと、天横フレーム及び地横フレームの突き合わせ接合部に跨って空間部に嵌合するジョイナーとに、同一のブロック部材５を用いてなる。【選択図】        図５
2015127471.tif 000002
【特許請求の範囲】
【請求項１】
天井に天横フレームを取付けるとともに、床面に前記天横フレームと対向させて地横フレームを敷設し、前記天横フレームと地横フレームとの間に単又は複数のガラス板を保持してなるガラスパネル装置であって、前記天横フレームと地横フレームは、アルミ押出し型材からなり、それぞれ中央部に前記ガラス板の上下縁を保持する凹溝部を有し、該凹溝部の表裏両側に筒状の空間部を有し、前記地横フレームの凹溝部内の底部に設置するセッティングブロックと、前記天横フレーム及び地横フレームの突き合わせ接合部に跨って前記空間部に嵌合するジョイナーとに、同一のブロック部材を用いてなることを特徴とするガラスパネル装置。
【請求項２】
前記ブロック部材は、断面略四角形の本体部の上下面に、それぞれ凹凸嵌合して積み重ねることが可能な突条と凹条を長手方向に形成するとともに、一側面に沿って脚片を長手方向に突出形成した形状である請求項１記載のガラスパネル装置。
【請求項３】
前記地横フレームの凹溝部の底部の横幅は、前記ブロック部材の本体部の一側面から脚片の先端までの距離よりも若干大きく設定し、前記天横フレームと地横フレームの各空間部は、前記ブロック部材を密嵌する内形状を有するとともに、前記脚片を嵌合する係合溝を有してなる請求項２記載のガラスパネル装置。
【請求項４】
前記天横フレームと地横フレームのうち、少なくとも地横フレームは固定フレームと該固定フレームに係合する押縁とからなり、前記固定フレームは床面に固定するベース部の上位中央部に前記凹溝部となる溝用空間部を有するとともに、該溝用空間部の一側に上部に前記空間部を形成した側縁部を一体的に立ち上げ形成し、前記押縁は内部に前記空間部を有し、下部と前記固定フレームの溝用空間部の他側の前記ベース部とに係合連結する係合部を形成したものである請求項１〜３何れか１項に記載のガラスパネル装置。
【請求項５】
前記天横フレームにあっては、両空間部より上方の表裏両面に凹陥部を形成し、前記地横フレームにあっては、両空間部より下方の表裏両面に凹陥部を形成してなる請求項１〜４何れか１項に記載のガラスパネル装置。
【発明の詳細な説明】
【技術分野】
【０００１】
本発明は、ガラスパネル装置に係わり、更に詳しくは天井と床面間に一枚物若しくは上下に分割したガラス板を保持して空間を区画するガラスパネル装置に関するものである。
【背景技術】
【０００２】
従来から、天井と床面に天レールと地レールを取付けるとともに、一対の支柱を間隔を隔てて立設し、地レールには高さ調節可能に巾木部材を取付け、天レールには笠木部材を取付け、前記両支柱、巾木部材及び笠木部材の内側に凹溝部を設け、該凹溝部にガラス板の周縁をパッキンを介して保持する構造のガラスパネル装置が各種提供されている。また、上下に複数の分割ガラス板を装着する場合には、更に両支柱間に複数の横桟部材を上下所定間隔毎に渡設し、該横桟部材の上下面にも凹溝部を形成し、分割ガラス板の上下縁をパッキンを介して保持する構造が一般的である。
【０００３】
特許文献１には、天井と床面にそれぞれ天レールと地レールを対向させて取付け、該地レールに外嵌してレベル調整した巾木部材の上に、所定間隔で支柱を立設し、該支柱の上端部は前記天レール内で固定金具で取付け、そして隣接する支柱間の上端部に、前記天レールに上下スライド且つ固定可能に外嵌した笠木部材の両端を仮止めし、枠体でガラス板の周囲を予め強固に保持したガラスパネルを用意し、ガラスパネルを前記巾木部材の上面に凹凸嵌合して載置した状態で両側部を前記支柱の内面にネジ止めして取付け、該ガラスパネルの上面に別のガラスパネルを凹凸嵌合して載置した状態で前記同様に支柱にネジ止めして取付け、これを繰り返し、最後に前記仮止めした笠木部材を上方へ持ち上げた状態で、最上段の前記ガラスパネルの上面に前記笠木部材を下降させて凹凸嵌合した状態で前記支柱に本止めしてなるガラスパネル装置が開示されている。
【０００４】
特許文献１に記載のガラスパネル装置では、側方へ連設する場合に、複数の地レールと巾木部材及び天レールと笠木部材を端面で突き合わせ長手方向に連続するように設ける際に、前記地レールと巾木部材の組み合わせ構造には、床面の不陸を調節するための高さ調節機能を備えているので、左右に突き合わせた巾木部材同士の接合部に段差がないようにすることが可能であるが、部品点数が多く、構造が複雑になるので、コスト高となる傾向がある。
【０００５】
一方、特許文献２には、ガラスパネル装置において、地レールがアルミ押出し型材からなる固定レールとカバーレールの二部材からなり、互いに嵌合した状態で上面にガラス板の下縁を保持する凹溝部を形成する構造が開示されている。特許文献２に記載のガラスパネル装置は、前記固定レールを床面にアンカーボルトで直接固定する構造であるので、構造が簡単且つ安価であるが、ガラス板の高さ調節幅が小さく、床面に不陸があるとガラス板の高さ調整が難しい。このような構造の地レールでは、側方へ他の地レールの端面を突き合わせて連設する際に、両地レールの接合部に跨ってジョイナーを嵌合して段差を無くする必要がある。ここで、ガラス板の高さ調節には、前記地レールの凹溝部内にガラス板を直接又は間接に載支するセッティングブロックを設置して行うが、この高さ調節を容易にして施工性を高めるために、地レールの上下寸法をそのまま大きくすれば、地レールの厚みが目立ち重厚な外観になってしまい、ガラスパネル装置特有のシャープさが損なわれる。尚、従来のものは、前記ジョイナーとセッティングブロックは別物であった。
【先行技術文献】
【特許文献】
【０００６】
【特許文献１】特開２００８−０９５４８６号公報
【特許文献２】特開２００２−１３８６０８号公報
【発明の概要】
【発明が解決しようとする課題】
【０００７】
そこで、本発明が前述の状況に鑑み、解決しようとするところは、天井に取付けた天横フレームと床面に敷設した地横フレームとの間にガラス板を保持してなるガラスパネル装置において、側方へ連設する場合に横フレームを段差なく接合できるとともに、ガラス板の高さ調節も容易で施工性に優れ、部品点数を最小限に抑制してコスト低減化を図り、外観的にもシャープさを備えたガラスパネル装置を提供する点にある。
【課題を解決するための手段】
【０００８】
本発明は、前述の課題解決のために、天井に天横フレームを取付けるとともに、床面に前記天横フレームと対向させて地横フレームを敷設し、前記天横フレームと地横フレームとの間に単又は複数のガラス板を保持してなるガラスパネル装置であって、前記天横フレームと地横フレームは、アルミ押出し型材からなり、それぞれ中央部に前記ガラス板の上下縁を保持する凹溝部を有し、該凹溝部の表裏両側に筒状の空間部を有し、前記地横フレームの凹溝部内の底部に設置するセッティングブロックと、前記天横フレーム及び地横フレームの突き合わせ接合部に跨って前記空間部に嵌合するジョイナーとに、同一のブロック部材を用いてなることを特徴とするガラスパネル装置を構成した（請求項１）。
【０００９】
ここで、前記ブロック部材は、断面略四角形の本体部の上下面に、それぞれ凹凸嵌合して積み重ねることが可能な突条と凹条を長手方向に形成するとともに、一側面に沿って脚片を長手方向に突出形成した形状である（請求項２）。
【００１０】
また、前記地横フレームの凹溝部の底部の横幅は、前記ブロック部材の本体部の一側面から脚片の先端までの距離よりも若干大きく設定し、前記天横フレームと地横フレームの各空間部は、前記ブロック部材を密嵌する内形状を有するとともに、前記脚片を嵌合する係合溝を有してなることが好ましい（請求項３）。
【００１１】
更に、前記天横フレームと地横フレームのうち、少なくとも地横フレームは固定フレームと該固定フレームに係合する押縁とからなり、前記固定フレームは床面に固定するベース部の上位中央部に前記凹溝部となる溝用空間部を有するとともに、該溝用空間部の一側に上部に前記空間部を形成した側縁部を一体的に立ち上げ形成し、前記押縁は内部に前記空間部を有し、下部と前記固定フレームの溝用空間部の他側の前記ベース部とに互いに係合連結する係合部を形成したものであることがより好ましい（請求項４）。
【００１２】
そして、前記天横フレームにあっては、両空間部より上方の表裏両面に凹陥部を形成し、前記地横フレームにあっては、両空間部より下方の表裏両面に凹陥部を形成してなることがより好ましい（請求項５）。
【発明の効果】
【００１３】
以上にしてなる請求項１に係る発明のガラスパネル装置は、天井に天横フレームを取付けるとともに、床面に前記天横フレームと対向させて地横フレームを敷設し、前記天横フレームと地横フレームとの間に単又は複数のガラス板を保持してなるガラスパネル装置であって、前記天横フレームと地横フレームは、アルミ押出し型材からなり、それぞれ中央部に前記ガラス板の上下縁を保持する凹溝部を有し、該凹溝部の表裏両側に筒状の空間部を有し、前記地横フレームの凹溝部内の底部に設置するセッティングブロックと、前記天横フレーム及び地横フレームの突き合わせ接合部に跨って前記空間部に嵌合するジョイナーとに、同一のブロック部材を用いてなるので、部品点数を最小限に抑制してコスト低減化を図ることができ、側方へ連設する場合に接合部に跨って空間部にブロック部材を嵌合することにより、横フレームを段差なく接合できるとともに、凹溝部の底部にブロック部材を設置し、その上にガラス板を載せることで高さ調節することができる。
【００１４】
請求項２によれば、前記ブロック部材は、断面略四角形の本体部の上下面に、それぞれ凹凸嵌合して積み重ねることが可能な突条と凹条を長手方向に形成するとともに、一側面に沿って脚片を長手方向に突出形成した形状であるので、凹溝部の底部にブロック部材を複数安定に積層することができ、ガラス板の高さ調節が容易であり、また脚片によってブロック部材の向きを設定でき、施工性に優れている。
【００１５】
請求項３によれば、前記地横フレームの凹溝部の底部の横幅は、前記ブロック部材の本体部の一側面から脚片の先端までの距離よりも若干大きく設定し、前記天横フレームと地横フレームの各空間部は、前記ブロック部材を密嵌する内形状を有するとともに、前記脚片を嵌合する係合溝を有してなるので、凹溝部の底部にガタつきなく、また転倒することなくブロック部材を設置することができ、またブロック部材を空間部に嵌合する際に、脚片と係合溝の位置を合わせることにより、ブロック部材の向きを間違いなく嵌合することができる。
【００１６】
請求項４によれば、前記天横フレームと地横フレームのうち、少なくとも地横フレームは固定フレームと該固定フレームに係合する押縁とからなり、前記固定フレームは床面に固定するベース部の上位中央部に前記凹溝部となる溝用空間部を有するとともに、該溝用空間部の一側に上部に前記空間部を形成した側縁部を一体的に立ち上げ形成し、前記押縁は内部に前記空間部を有し、下部と前記固定フレームの溝用空間部の他側の前記ベース部とに互いに係合連結する係合部を形成したものであるので、押縁を固定フレームから分離した状態で溝用空間部に設置したブロック部材の上に直接又は高さ調整ブロックを介して間接的にガラス板を載支することができ、それによりガラス板の高さ調節する作業が容易になり、その後、押縁を固定フレームに係合連結することにより、ガラス板の下縁を凹溝部内に保持することができ、施工性に優れている。
【００１７】
請求項５によれば、前記天横フレームにあっては、両空間部より上方の表裏両面に凹陥部を形成し、前記地横フレームにあっては、両空間部より下方の表裏両面に凹陥部を形成してなるので、凹溝部の深さを深くしてガラス板の高さ調節幅を大きく確保することで施工性を良くすることができるにも係わらず、表裏両側に形成した凹陥部の存在により、横フレームの厚みを感じさせないようなシャープさを備えた外観にすることができる。更に、凹溝部の深さを深くすることは、ガラス板の下縁の抱き込み量が大きくなり、耐震性の向上にもつながるのである。
【図面の簡単な説明】
【００１８】
【図１】本発明のガラスパネル装置の一部省略縦断側面図である。
【図２】同じく横断平面図である。
【図３】地横フレームにガラス板の下部を保持した状態の拡大縦断側面図である。
【図４】セッティングブロックとジョイナーを兼ねたブロック部材の斜視図である。
【図５】地横フレームの接合部近傍における部分縦断側面図である。
【図６】固定フレームと押縁とからなる地横フレームの構造と、接合部におけるブロック部材の嵌合状態を示す分解縦断側面図ある。
【図７】地横フレームの接合部の部分縦断正面図である。
【図８】天横フレームの接合部近傍における部分縦断側面図である。
【図９】天横フレームの接合部の部分縦断正面図である。
【図１０】上下分割したガラス板を横桟フレームを介して積層した構造のガラスパネル装置を示す一部省略縦断側面図である。
【発明を実施するための形態】
【００１９】
次に、添付図面に示した実施形態に基づき、本発明を更に詳細に説明する。図１〜図９は本発明に係るガラスパネル装置を示し、図中符号Ｃは天井、Ｆは床面、１は天横フレーム、２は地横フレーム、３はガラス板、４は縦支柱、５はブロック部材をそれぞれ示している。
【００２０】
本発明に係るガラスパネル装置は、天井Ｃに天横フレーム１を取付けるとともに、床面Ｆに前記天横フレーム１と対向させて地横フレーム２を敷設し、前記天横フレーム１と地横フレーム２との間に単又は複数のガラス板３を保持してなるガラスパネル装置であって、前記天横フレーム１と地横フレーム２は、アルミ押出し型材からなり、それぞれ中央部に前記ガラス板３の上下縁を保持する凹溝部６，７を有し、該凹溝部６，７の表裏両側に筒状の空間部８，８、空間部９，９を有し、前記地横フレーム２の凹溝部７内の底部に設置するセッティングブロックと、前記天横フレーム１及び地横フレーム２の突き合わせ接合部に跨って前記空間部８，８、空間部９，９に嵌合するジョイナーとに、同一のブロック部材５を用いてなるものである。
【００２１】
更に詳しくは、天井Ｃと床面Ｆには所定間隔を隔てて縦支柱４，…を立設し、前記天横フレーム１及び地横フレーム２は、その縦支柱４，４間に設けられる。前記縦支柱４，４間に横方向に１枚のガラス板３を設ける場合には、その両側縁を両縦支柱４，４にて保持し、前記縦支柱４，４間に横方向に複数枚のガラス板３，…を設ける場合には、縦支柱４に接するガラス板３の一側縁は該縦支柱４で保持し、中間のガラス板３，３同士は、断面略Ｈ字形の直線連結部材（図示せず）で連結する。また、コーナー部ではガラス板３，３同士を直角に接近させ、図２に示すように、コーナー連結部材１０で連結する。ここで、ガラス板３の上下縁は、前記天横フレーム１の凹溝部６と前記地横フレーム２の凹溝部７の内部に位置させ、表裏両側からパッキン１１，１１にて弾性的に保持し、ガラス板３の側縁を縦支柱４で保持する場合には、該縦支柱４の両側面の中央部に設けた凹溝１２，１２のうち対応する側の凹溝１２の内部にガラス板３の側縁を位置させ、表裏両側からパッキン１３，１３で弾性的に保持する。本発明では、前記パッキン１１，１３の形状は任意である。
【００２２】
前記ブロック部材５は、図４に示すように、アルミ押出し型材を所定長さに切断して作製したものであり、断面略四角形の本体部１４の上下面に、それぞれ凹凸嵌合して積み重ねることが可能な突条１５と凹条１６を長手方向に形成するとともに、一側面に沿って脚片１７を長手方向に突出形成した形状である。本実施形態では、前記突条１５，１５を前記本体部１４の上面両側縁に沿って２条形成し、それに対応する本体部１４の下面に２条の凹条１６，１６を形成している。このブロック部材５を二つ上下に重ねる際には、下方のブロック部材５の突条１５，１５に、上方のブロック部材５の凹条１６，１６が係合し、横ズレを生じないようになっている。また、本実施形態では、前記脚片１７を本体部１４の一側面の下縁に沿って側方へ突出するように形成している。また、前記ブロック部材５の長さは、５ｃｍである。
【００２３】
そして、図１及び図３に示すように、前記地横フレーム２の凹溝部７の底部の横幅は、前記ブロック部材５の本体部１４の一側面から脚片１７の先端までの距離よりも若干大きく設定し、前記天横フレーム１と地横フレーム２の各空間部８，９は、前記ブロック部材５を密嵌する内形状を有するとともに、前記脚片１７を嵌合する係合溝１８を有している。前記天横フレーム１の空間部８に設けた係合溝１８は、前記凹溝部６に近い側であり、脚片１７を上側にして空間部８にブロック部材５を密嵌できるようになっている。また、前記地横フレーム２の空間部９に設けた係合溝１８は、前記凹溝部６に近い側であり、脚片１７を下側にして空間部９にブロック部材５を密嵌できるようになっている。前記脚片１７と係合溝１８の存在によって、前記ブロック部材５が特定の向きの場合にのみ嵌合できるようにしたので、向きを正確に嵌合できるようになっている。
【００２４】
また、図１、図３、図５及び図６に示すように、前記天横フレーム１と地横フレーム２のうち、少なくとも地横フレーム２は固定フレーム１９と該固定フレーム１９に係合する押縁２０とからなり、前記固定フレーム１９は床面Ｆに固定するベース部２１の上位中央部に前記凹溝部７となる溝用空間部２２を有するとともに、該溝用空間部２２の一側に上部に前記空間部９を形成した側縁部２３を一体的に立ち上げ形成し、前記押縁２０は内部に前記空間部９を有し、下部と前記固定フレーム１９の溝用空間部２２の他側の前記ベース部２１とに係合連結する係合部２４を形成したものである。前記固定フレーム１９は、図１に示すように、前記ベース部２１の溝用空間部２２の底部でアンカーボルト２５にて床面Ｆに固定する。
【００２５】
ここで、前記地横フレーム２の前記係合部２４は、前記固定フレーム１９のベース部２１に設け、爪片を内向きにした断面倒Ｌ字形の第１係合部２４Ａと、前記押縁２０に設け、爪片を外向きにした断面略Ｌ字形の第２係合部２４Ｂとからなっている。第１係合部２４Ａに第２係合部２４Ｂを係合するには、前記押縁２０を溝用空間部２２（凹溝部７）側へ倒した状態で第２係合部２４Ｂの爪片を第１係合部２４Ａの爪片の下方に係合した後、押縁２０を起こして第１係合部２４Ａに第２係合部２４Ｂを密着させる。この状態で、前記固定フレーム１９の側縁部２３と前記押縁２０との間に前記凹溝部７が形成され、該押縁２０は外側へ変位しないように係合する。
【００２６】
天井Ｃから床面Ｆまで連続した一枚物のガラス板３を保持する場合は、前記天横フレーム１は地横フレーム２のように分割構造でなくても施工が可能であり、そのため前記天横フレーム１は、図１及び図８に示すように、左右対称形の一体アルミ押出し型材で構成している。また、前記天横フレーム１にあっては、両空間部８，８より上方の表裏両面に凹陥部２６，２６を形成し、前記地横フレーム２にあっては、両空間部９，９より下方の表裏両面に凹陥部２７，２７を形成し、該凹陥部２６，２７を目立ち難くすることにより、前記天横フレーム１は地横フレーム２の上下厚さを薄く見せている。
【００２７】
そして、両側の縦支柱４，４間に横方向に複数枚のガラス板３，…を設ける場合には、前記天横フレーム１と地横フレーム２は複数本を接続する必要が生じる。図５〜図７に示すように、前記地横フレーム２，２を接続する場合には、既に敷設した地横フレーム２の両空間部９，９の内部で、前記ブロック部材５の長さの約半分程度の位置に下方からストッパーネジ２８，２８を螺合した状態で、前記ブロック部材５，５を各空間部９，９に約半分だけ嵌合し（図６参照）、それから接合する他の地横フレーム２を、前記ブロック部材５，５に各空間部９，９を嵌合させながら接合する。それから、図７に示すように、前記地横フレーム２，２の接合部に跨って凹溝部７の底部に連結板２９を配置し、該連結板２９の両端部に上方から貫通させた固定ネジ３０，３０を床面Ｆに螺合する。このように、前記地横フレーム２，２の接合部に跨って前記ブロック部材５，５を嵌合したので、該接合部に段差が生じないのである。この場合、前記ブロック部材５はジョイナーとして使用される。
【００２８】
同様に、前記天横フレーム１，１を接続する場合には、既に取付けた天横フレーム１の両空間部８，８の内部で、前記ブロック部材５の長さの約半分程度の位置に上方からストッパーネジ２８，２８を螺合した状態で、前記ブロック部材５，５を各空間部８，８に約半分だけ嵌合し（図８参照）、それから接合する他の天横フレーム１を、前記ブロック部材５，５に各空間部８，８を嵌合させながら接合する。それから、図９に示すように、前記天横フレーム１，１の接合部に跨って凹溝部６の底部に連結板２９を配置し、該連結板２９の両端部に下方から貫通させた固定ネジ３１，３１を天井Ｃに螺合する。ここで、図１に示すように、前記天井Ｃが吊り天井構造になっている場合には、天井パネル３２，…２を支持する吊支レール３３に前記天横フレーム１が締結ネジ３４にて取付けられるので、前記固定ネジ３１も前記締結ネジ３４で吊支レール３３に締結するようにする。
【００２９】
そして、前記天横フレーム１は地横フレーム２に前記ガラス板３を保持するには、先ず地横フレーム２の押縁２０を外した状態で、前記固定フレーム１９の凹溝部７の底部に、前記ブロック部材５を長手方向に間隔を置いて少なくとも２個設置し、その上に適当な厚さの合成樹脂製の高さ調整ブロック３５を置き、前記ガラス板３の上部を前記天横フレーム１の凹溝部６内に斜め下方から差し入れた後、該ガラス板３の下端を前記高さ調整ブロック３５の上に載置する。この状態では前記パッキン１１はまだ装着していない。そして、前記ガラス板３を固定フレーム１９の側縁部２３側に寄せて退避した状態で、前述のように押縁２０を固定フレーム１９に係合部２４にて係合連結する。それから、前記ガラス板３を天横フレーム１の凹溝部６と地横フレーム２の凹溝部７の中央に移動させた後、両側から凹溝部６，７の溝縁部に前記パッキン１１，１１を圧入して、前記ガラス板３を弾性的に保持するのである。この場合、前記ブロック部材５は、セッティングブロックとして使用される。前記ガラス板３の高さによっては、前記ブロック部材５を２個積層して使用する場合もある。前記ブロック部材５の上に載せる高さ調整ブロック３５は、用いなくても良いが、緩衝作用もあるので少なくとも１個用いることが望ましい。また、前記高さ調整ブロック３５は、前記ブロック部材５の両突条１５，１５の間に載置されるので、表裏方向への移動が規制されている。
【００３０】
また、図１０に示すように、前記天横フレーム１は地横フレーム２の間に上下に複数分割したガラス板３，…を保持する場合には、前記天横フレーム１も地横フレーム２と同様に、固定フレーム１９と押縁２０とに分割されたタイプのものを用い、両縦支柱４，４間に単又は複数の横桟部材３６，…を上下所定間隔毎に渡設し、該横桟部材３６の上下面にも凹溝部３７，３７を形成し、分割ガラス板３の上下縁をパッキン３８，３８を介して保持する。前記天横フレーム１を地横フレーム２と同様の分割タイプとすると、最上位の分割ガラス板３の装着作業が容易になる。
【符号の説明】
【００３１】
Ｃ  天井、              Ｆ  床面、
１  天横フレーム、      ２  地横フレーム、
３  ガラス板、          ４  縦支柱、
５  ブロック部材、      ６  凹溝部、
７  凹溝部、            ８  空間部、
９  空間部、            １０  コーナー連結部材、
１１  パッキン、        １２  凹溝、
１３  パッキン、        １４  本体部、
１５  突条、            １６  凹条、
１７  脚片、            １８  係合溝、
１９  固定フレーム、    ２０  押縁、
２１  ベース部、        ２２  溝用空間部、
２３  側縁部、          ２４  係合部、
２４Ａ  第１係合部、    ２４Ｂ  第２係合部、
２５  アンカーボルト、  ２６  凹陥部、
２７  凹陥部、          ２８  ストッパーネジ、
２９  連結板、          ３０  固定ネジ、
３１  固定ネジ、        ３２  天井パネル、
３３  吊支レール、      ３４  締結ネジ、
３５  調整ブロック、    ３６  横桟部材、
３７  凹溝部、          ３８  パッキン。
【図１】
2015127471.tif 000003
【図２】
2015127471.tif 000004
【図３】
2015127471.tif 000005
【図４】
2015127471.tif 000006
【図５】
2015127471.tif 000007
【図６】
2015127471.tif 000008
【図７】
2015127471.tif 000009
【図８】
2015127471.tif 000010
【図９】
2015127471.tif 000011
【図１０】
2015127471.tif 000012